(57)【要約】【課題】製作工程の一部を簡略化することにより、煩雑な作業やそれに伴う労力が軽減できると共に製作時間も短縮でき、引いては製作コストを低廉になし得るランドセルを提供する。【解決手段】上面が開口５した収容部６を構成しかつ背負ったとき背中に接する背板部１と該背板部１に連設しかつ前記開口５を開閉自在に塞ぐ蓋カバー部７とを備えてなるランドセルＡであって、前記背板部１と蓋カバー部７は、これら互いの内側に張設される内張材２８が前記背板部１から前記蓋カバー部７に亘り連続する一枚のシート状に成形されている。【選択図】図６
2005230196.tif 000002
【特許請求の範囲】
【請求項１】
上面が開口した収容部を構成しかつ背負ったとき背中に接する背板部と該背板部に連設しかつ前記開口を開閉自在に塞ぐ蓋カバー部とを備えてなるランドセルであって、
前記背板部と蓋カバー部は、これら互いの内側に張設される内張材が前記背板部から前記蓋カバー部に亘り連続する一枚のシート状に成形されていることを特徴とするランドセル。
【発明の詳細な説明】
【技術分野】
【０００１】
本発明は、製造工程の一部が簡素化できるようにしたランドセルに関するものである。
【背景技術】
【０００２】
従来のランドセルは、背負ったとき背中に接する背板部と、該背板部一側面の周端縁に該周端縁を囲うように設けられる左右の大襠部及び底板部と、前記背板部と対向位置して両大襠部及び底板部間を塞ぐ大仕切板部とにより上面が開口する箱状に成形され、前記背板部の上端部には、前記開口を開閉自在に塞ぐ蓋カバー部が連設されている。前記背板部と蓋カバー部とはそれぞれ表皮材や内張材を重合してあらかじめ別個に成形されており、製作工程で背板部の上端部に蓋カバー部が縫着して一体に連設されるようになっている。（例えば、特許文献１参照。）。
【特許文献１】特開２００３−２６５２１５号公報（第３頁、図３）
【発明の開示】
【発明が解決しようとする課題】
【０００３】
通常、前記特許文献１のようなランドセルでは、背板部や蓋カバー部のような主要部分は少なくとも皮革または合成皮革製の表皮材、内張材、発泡樹脂等のクッション材を重合することにより二重または多重構造をなし、さらに、それらの端縁には縁巻材を巻いて縫着するなど、構造が複雑でしかも縫着個所が多く、完成までには非常に煩雑な工程と多くの時間が掛かっているのが現状である。そこで、その工程の内の一部でも簡略化することができれば、煩雑な作業やそれに伴う労力が軽減され、しかも、製作時間も短縮できることになり、引いては製作コストを低廉になし得ることから、その要望が非常に強い。
【０００４】
そこで、本発明は上記課題に鑑みてなされたもので、製作工程の一部を簡略化することにより、煩雑な作業やそれに伴う労力が軽減できると共に製作時間も短縮でき、引いては製作コストを低廉になし得るランドセルを提供することを目的とするものである。
【課題を解決するための手段】
【０００５】
かかる目的を達成するため、本発明に係るランドセルは、上面が開口した収容部を構成しかつ背負ったとき背中に接する背板部と該背板部に連設しかつ前記開口を開閉自在に塞ぐ蓋カバー部とを備えてなるランドセルであって、前記背板部と蓋カバー部は、これら互いの内側に張設される内張材が前記背板部から前記蓋カバー部に亘り連続する一枚のシート状に成形された構成からなる。
【０００６】
また、本発明では、前記背板部及び蓋カバー部における一枚の内張材の内側に背板部から蓋カバー部に亘り連通する空隙部が成形されることになる。そこで、該空隙部に帯状の板ばねを内装するようにしている。これにより、蓋カバー部の起立動作が簡単になり、しかも、その起立した状態が保持でき収容物の出し入れを簡単に行ない得ることになる。
【０００７】
すなわち、本発明のランドセルは、上面が開口した収容部を構成しかつ背負ったとき背中に接する背板部と該背板部に連設しかつ前記開口を開閉自在に塞ぐ蓋カバー部とを備えてなるランドセルであって、前記背板部及び蓋カバー部は、これら互いの内側に張設される内張材が前記背板部から前記蓋カバー部に亘り連続する一枚のシート状に成形され、前記背板部及び蓋カバー部における内張材の内側に背板部から蓋カバー部に亘り連通する空隙部が成形され、前記空隙部には上端部を蓋カバー部の上端部に固着すると共に下端部は前記背板部の下部側に至りかつ自由端とする帯状の板ばねを内装してなり、前記板ばねは横断面円弧状に成形されその凹弧面が前記蓋カバー部の表皮材に向き合うようにした構成が採られる。
【０００８】
そして、前記板ばねにより蓋カバー部を起立或いは倒伏の何れの状態にも保持させることができ、これにより蓋カバー部の起立動作が簡単になる。また、蓋カバー部の起立した状態が保持できることから、ノート，筆箱などの収容物の出し入れが簡単に行なえる。
【発明の効果】
【０００９】
本発明に係るランドセルは、背板部及び蓋カバー部の内側に張設される内張材を背板部から蓋カバー部に亘り連続する一枚のシート状に成形してなるので、背板部と蓋カバー部との表皮材を縫着し、その内側に一枚の内張材を張設して背板部と蓋カバー部を一体に成形するようにしたので、製作工程の一部が簡略化されて、煩雑な作業やそれに伴う労力が軽減されると共に製作時間も短縮でき、引いては製作コストを低廉になし得るという効果がある。
【００１０】
また、部品点数が減少することから、部品の管理が容易化できるという効果もある。
【発明を実施するための最良の形態】
【００１１】
以下、本発明に係るランドセルの実施の形態を図面を参照して詳しく説明する。図１は本発明に係るランドセルの斜視図、図２は同蓋カバー部を開いた状態のランドセルの斜視図である。ランドセルＡは、背負ったときに背中に接する背板部１と、該背板部１の一側面の周端縁に該周端縁を囲うように設けられる左右の大襠部２，２及び底板部３と、前記背板部１と対向位置して両大襠部２，２及び底板部３間を塞ぐ大仕切板４とにより上面が開口５した箱状に成形される。そして、その内部が収容部である主収容部６となる。また、前記背板部１の上端側に開口５を開閉自在に塞ぐ蓋カバー部７が連続して設けられている。
【００１２】
前記底板部３の外側面に、蓋カバー部７の先端部に取着された係止金具８を係止すると共に両肩掛けバンド９，９の下端を取着する取付金具１０が装着されている。また、大仕切板部４の外側面に小仕切板部１１に覆われるようにして副収容部１２が形成され、更に、その外側面にスライドファスナー１３で開閉できるポケット部１４が設けられている。前記肩掛けバンド９，９は、それぞれ上端が前記背板部１の外側面の上部に取着される肩掛けベルト取付具１５に係止され、また各下端が前記取付金具１０に係止される。両大襠部２，２と副収容部１２の外周面にはランドセルＡの型崩れを防止するためのサイドベルト１６が取着されている。
【００１３】
前記背板部１や蓋カバー部７のような主要部分は、少なくとも皮革製または合成皮革製の表皮材、内張材、発泡樹脂製のクッション材といった所望の部材を重合することにより二重または多重構造に成形される。さらに、それらの外周端縁には、縁巻材１７を巻いて縫着されることになる。
【００１４】
次に、図４乃至図８に従って背板部及び蓋カバー部の製作工程を説明する。図４、図７に示すように、背板部１は縦長の長方形状に成形される合成樹脂板からなる芯材１８を有し、この芯材１８の外側に発泡ウレタンからなるクッション材１９を介して表皮材２０が重合接着されている。この表皮材２０の表側には、芯材１８と一緒に縫い合わせた縫目２１が付けられ、その中央部が窪むと共に両側に膨らみ部２２が成形される。この膨らみ部２２は背負ったときに丁度肩甲骨が当たる部分である。
【００１５】
一方、蓋カバー部７は、前記芯材１８とほぼ同じ横幅を有する縦長の表皮材２３を有し、この表皮材２３の下端部が図８に示すように背板部１の表皮材２０の表側に一部重なるようにして縫着されている。その重なり部には、前記のように両肩掛けベルト９，９の各上端部が取着される肩掛けベルト取付具１５が装着されることになる。蓋カバー部７の表皮材２３は、両側縁と上側縁にそれぞれ側部折返片部２３ａ，２３ａ、上部折返片部２３ｂが延設され、これらが内側に折り曲げられるようになっている。
【００１６】
前記上部折返片部２３ｂには、その両側に、折り返すことによりこの表皮材２３の上部の両側所定位置に開設された一対の取付孔２４，２４と一致する一対の透孔２５，２５が開設される。２６は蓋カバー部７の上端に取り付けられる連結片であり、平面半円弧状に成形されると共に中央部に前記係止金具８がビス止めされている。また、その両端部に、前記一対の透孔２５，２５と対応する一対の透孔２７，２７が開設されている。
【００１７】
そして、連続する前記背板部１及び蓋カバー部７の内側に、これとほぼ同じ大きさの合成皮革からなる内張材２８が重合されることになる。すなわち、内張材２８は前記背板部１から蓋カバー部７に亘り連続する一枚のシート状に成形されている。また、内張材２８の内側には、蓋カバー部７から背板部１へ亘り連通状となる空隙部Ｓが成形される。これを利用してその空隙部Ｓに、左右一対の帯状の板バネ２９，２９が配置される。
【００１８】
前記板バネ２９は、蓋カバー部７の起立動作が簡単になり、また、その起立した状態が保持できることから、ノート、筆箱などの収容物（図示せず。）の出し入れを簡単に行なうためである。各板バネ２９は、強靭で弾力性に富んだ金属帯片からなり、横断面が円弧状をなしている。そして、起立状態での剛性に優れ、また、凹弧面側には少しの応力で極めて容易に屈曲するが、反対の凸弧面側への屈曲は大きな応力を要し、しかも、屈曲すると弾性復元力を失って自力では起立できない性質を有している。
【００１９】
このような板バネ２９は、前記背板部１と蓋カバー部７を連設した長さ寸法よりも短く成形され、上端部に蓋カバー部７の表皮材２３に設けられた取付孔２４と連通する通孔３０が開設されている。また、通常、板バネ２９はそのままであると周端縁が鋭利に成形されていることから、そこに触れて手をけがしたり、下端部が内張材２８を破って外へ突出する危険性を避けるため、外周面全体を合成樹脂フィルム３０で被覆しておくことが好ましい。
【００２０】
そこで、背板部１の芯材１８及び蓋カバー部７の表皮材２３の内側に内張材２８を重合する前に、図３に示すように凹弧面側が表皮材２３に向き合う状態で両板バネ２９，２９を該表皮材２３の内側にその長手方向に沿って平行に配置する。次に、各板バネ２９の上端部に設けられた通孔３０と表皮材２３の各取付孔２４とを一致させる。この状態で、その上から内張材２８を重合させる。内張材２８にも上端部の両側所定位置に取付孔３１，３１が開設され、これら取付孔３１，３１が前記各板バネ２９の通孔３０と一致するようになっている。更に、内張材２８の上端側にポケットを成形するための透明な合成樹脂シートからなるポケットカバー３２が重合される。このポケットカバー３２にも、前記内張材２８の両取付孔３１，３１に一致する透孔３３，３３が開設されている。
【００２１】
更に、この状態で表皮材２３の両側部折返片部２３ａ，２３ａを互いに内側へ折り曲げると共に上部折返片部２３ｂを内側に折り曲げる。この際、上部折返片部２３ｂの両透孔２５，２５はポケットカバー３２の両透孔３３，３３に一致する。また、連結片２６の両端部を前記上部折返片部２３ｂの各透孔２５，２５と対応位置させて設けられた差込溝３４，３４からその内側へ挿入し、各透孔２７を上部折返片部２３ｂの各透孔２５に一致させる。この状態で、図５に示すように前記各透孔２５から各透孔２７、透孔３３、取付孔３１、通孔３０、取付孔２４の順に鳩目金具３５を挿通して全体を一体に固着する。また、両側部折返片部２３ａ，２３ａの内端縁をその内端縁に沿って内張材２８に縫着し、同様にして上端折返片部２３ｂの内端縁も縫着する。
【００２２】
続いて、図６に示すように前記折り曲げた両側部折返片部２３ａ，２３ａと上部折返片部２３ｂの外周縁部に表・裏を挟むようにして縁巻材１７を縫着する。このように、背板部１及び蓋カバー部７を縫着して連設するに、背板部１及び蓋カバー部７の表皮材２０，２３の内側に張設される内張材２８が背板部１から蓋カバー部７に亘り連続する一枚のシート状に成形される。よって、背板部１及び蓋カバー部７の表皮材２０，２３を縫着しその内側に一枚の内張材２８を張設するのみで、背板部１と蓋カバー部７が一体に成形されることになる。これにより、製作工程の一部が簡略化され、煩雑な作業やそれに伴う労力も軽減されることになり、製作時間も短縮できることになる。
【００２３】
このようにして成形された背板部１及び蓋カバー部７は、その内側に前記大襠部２、底板部３、大仕切板部４などの各部材が縫着されてランドセルＡが完成する。また、前記各板バネ２９は、その上端部が鳩目金具３５により表皮材２３に固着されるが、下端部はそのまま自由端となっている。よって、蓋カバー部７を上下に屈曲させた場合、内張材２８内側の空隙部Ｓ内でその長手方向に沿って自在にスライドすることになる。板バネ２９をスライドさせることにより、該板バネ２９内に生じる無用な応力が逃され、例えば、蓋カバー部７の外面に局所的な膨らみが出るなど変形するおそれがない。
【００２４】
本発明に係るランドセルＡでは、蓋カバー部７を起立させてやれば、図９実線に示すように各板バネ２９の剛性により蓋カバー部７の起立状態が保持される。これにより、蓋カバー部７の起立動作が簡単になり、また、その起立した状態が保持できることから、ノート、筆箱などの収容物（図示せず。）の出し入れも簡単に行なえる。また、この状態から蓋カバー部７を閉める方向へ軽く力を加えてやれば、各板バネ２９が屈曲し自力では起立できない状態になるため、図９鎖線に示すように蓋カバー部７が開口５を被せた状態になる。
【図面の簡単な説明】
【００２５】
【図１】本発明に係るランドセルの斜視図。
【図２】同蓋カバーを開いた状態のランドセルの斜視図。
【図３】図２のＸ−Ｘ線断面図。
【図４】背板部及び蓋カバー部の製作工程を示す説明図。
【図５】背板部及び蓋カバー部の製作工程を示す説明図。
【図６】背板部及び蓋カバー部の製作工程を示す説明図。
【図７】図６のＹ−Ｙ線断面図。
【図８】背板部及び蓋カバー部の表側の斜視図。
【図９】ランドセルの側面断面図。
【符号の説明】
【００２６】
１        背板部
５        開口
６        主収容部
７        蓋カバー部
２０      表皮材
２３      表皮材
２８      内張材
Ａ        ランドセル
【図１】
2005230196.tif 000003
【図２】
2005230196.tif 000004
【図３】
2005230196.tif 000005
【図４】
2005230196.tif 000006
【図５】
2005230196.tif 000007
【図６】
2005230196.tif 000008
【図７】
2005230196.tif 000009
【図８】
2005230196.tif 000010
【図９】
2005230196.tif 000011